(57)【要約】【課題】  印刷単位ブロック整列装置における整列作業の効率化と高精度化を図ること。【解決手段】  １次断裁、２次断裁に続いて印刷単位ブロック群を上レールから直交する下レール群に落下させ、この下レール群から横送りし搬出された印刷単位ブロック群を列単位ブロック毎に受け止める支持位置と解除位置に開閉する支持手段と、この支持手段の解除位置への変動で落下する印刷単位ブロック群を受け止めて列単位ブロック毎に縦方向に並べ、整列搬送手段が一定速度で縦送りする整列搬送レールとを備える構成において、該支持手段から整列搬送レールへの落下タイミングを電気的に制御する電気的制御手段を設け、該横送り搬送手段の搬送速度を面付構成に関わらず統一された速度にしながら、この電気的制御手段が、異なる面付構成における縦列の段数に応じて落下タイミングを制御する。【選択図】  図２
2014024638.tif 000002
【特許請求の範囲】
【請求項１】
縦列と横列との面付構成で多面印刷された大判シートから印刷単位ブロックに断裁し、整列した上で、面付構成に関わらず一定速度で次工程に送る印刷単位ブロック整列装置であって、
該大判シートが積み重ねられた大判シートブロックを横列の列単位ブロックに切断する１次断裁手段と、
この１次断裁手段で切断された列単位ブロックを印刷単位ブロックに切断する２次断裁手段と、
印刷単位ブロック群を縦送りする縦送り搬送手段により印刷単位ブロックを列単位ブロック毎にチャージする支持位置と解除位置に開閉する上レールと、
この上レールの直下に上レールと直交して配置されこの上レールの解除位置への変動で落下する印刷単位ブロック群の単位ブロック個々を列単位ブロック毎に受け止め横送り搬送手段で横送りする下レール群と、
この下レール群から横送りし搬出された印刷単位ブロック群を列単位ブロック毎に受け止める支持位置と解除位置に開閉する支持手段と、
この支持手段の解除位置への変動で落下する印刷単位ブロック群を受け止めて列単位ブロック毎に縦方向に並べ、整列搬送手段が一定速度で縦送りする整列搬送レールと、
を備える構成において、
該支持手段から整列搬送レールへの落下タイミングを電気的に制御する電気的制御手段を設け、
該横送り搬送手段の搬送速度を面付構成に関わらず統一された速度にしながら、この電気的制御手段が、異なる面付構成における縦列の段数に応じて落下タイミングを制御する
ことを特徴とする印刷単位ブロック整列装置。
【請求項２】
前記横送り搬送手段の搬送速度が、装置の対応する面付構成のうち最小の縦列の段数の条件下において統一された搬送速度である
請求項１に記載の印刷単位ブロック整列装置。
【請求項３】
前記電気的制御手段が、前記横送り搬送手段に備えたクラッチブレーキを制御することにより、前記横送り駆動に一定の停止期間を生じさせて落下タイミングを制御する
請求項１又は２に記載の印刷単位ブロック整列装置。
【請求項４】
前記支持手段が、前記支持位置においては前記印刷単位ブロックの両側側面で支持すると共に、前記解除位置では両側側面の支持を同時に解除して前記整列搬送レールに落下させるようにした
請求項１ないし３のいずれかに記載の印刷単位ブロック整列装置。
【請求項５】
縦列と横列との面付構成で多面印刷された大判シートから印刷単位ブロックに断裁し、整列した上で、面付構成に関わらず一定速度で次工程に送る印刷単位ブロック整列方法であって、
該大判シートが積み重ねられた大判シートブロックを横列の列単位ブロックに切断する１次断裁工程、
この列単位ブロックを印刷単位ブロックに切断する２次断裁工程、
印刷単位ブロック群を縦送りして印刷単位ブロックを列単位ブロック毎に上レールにチャージする縦送り工程、
この上レールから印刷単位ブロックを解除して、上レールと直交する下レール群に落下させ、印刷単位ブロック群の単位ブロック個々を列単位ブロック毎に受け止め、横送りする横送り工程、
この下レール群から横送りして搬出された印刷単位ブロック群を列単位ブロック毎に支持手段で受け止め、この支持手段を解除して整列搬送レールに印刷単位ブロック群を受け止めさせて、列単位ブロック毎に縦方向に並べて縦送りする整列搬送工程、
の各工程を有し、
整列搬送工程において、
該支持手段から整列搬送レールへの落下タイミングを電気的に制御する電気的制御手段を設けて、この電気的制御手段が、該横送り搬送工程における搬送速度を面付構成に関わらず統一された速度にしながら、異なる面付構成における縦列の段数に応じて落下タイミングを制御する
ことを特徴とする印刷単位ブロック整列方法。
【請求項６】
前記横送り搬送工程における搬送速度が、装置の対応する面付構成のうち最小の縦列の段数の条件下において統一された搬送速度である
請求項５に記載の印刷単位ブロック整列方法。
【請求項７】
前記電気的制御手段が、前記横送り搬送手段に備えたクラッチブレーキを制御することにより、前記横送り駆動に一定の停止期間を生じさせて落下タイミングを制御する
請求項５又は６に記載の印刷単位ブロック整列方法。
【請求項８】
前記支持手段が、支持位置においては前記印刷単位ブロックの両側側面で支持すると共に、解除位置では同時に両側側面の支持を解除して前記整列搬送レールに落下させるようにした
請求項５ないし７のいずれかに記載の印刷単位ブロック整列方法。
【発明の詳細な説明】
【技術分野】
【０００１】
本発明は、例えば紙幣や葉書のように通し番号が付されている印刷単位ブロックを、例えば１から１００、１０１から２００のように１００枚を一ブロックとした印刷単位ブロックを通し番号順に整列する印刷単位ブロック整列装置に関する。
【背景技術】
【０００２】
例えば１００枚の紙幣を重ねた単位ブロックを集積工程において１０ブロック通し番号順に重ねる場合、その前工程として単位ブロックを番号順に整列する工程が必要になる。従来のこの種の単位ブロック整列装置は、例えば特許文献１に代表されるように、縦列と横列に多面印刷された大判シートが積み重ねられた大判シートブロックを列単位ブロックに切断し、この切断された複数の列単位ブロックを多数列並べ、これら全列を前端から順次断裁して多数の印刷単位ブロックを形成し、これを整列ライン上に送り出して番号順に整列し、集積工程に供給しており、単位ブロックの整列作業が極めて非能率的で、これが集積工程における能率アップを妨げる原因となっていた。又、多数の列単位ブロックを並べて一時に断裁する非常に大型の断裁機が必要となる。
【０００３】
これを改善するために提案されたのが本出願人による特許文献２の発明である。この発明によれば、印刷単位ブロック群を通し番号グループ毎に縦送りして上レールに搬入チャージし、このチャージした印刷単位ブロック群を上レールの解除位置への移動にて上記通し番号グループ毎に下レール群に落下させる。
次いで、この下レールに落下された印刷単位ブロック群を上記通し番号グループ毎に横送りして支持手段に一括して搬出し、この印刷単位ブロック群を支持手段の解除位置への移動にて上記通し番号グループ毎に整列搬送レールに落下し、この整列搬送レールにおいて印刷単位ブロックを通し番号順に縦方向に並べて集積工程へ縦送りし搬出する。
この結果、印刷単位ブロック群は大判シートブロックから切断された列単位で処理され整列される。
【０００４】
又、本発明は上レールと下レール群が直交する２階建て構造とし、上レールの上部に平行に設けたプッシャー付きコンベアにて印刷単位ブロック群を上レールに通し番号グループ毎に縦送りしてチャージし、これを上レールの解除位置への移動により下レール群に落下して各下レールの下部に平行に設けたプッシャー付きコンベアにて通し番号グループ毎に横送りして整列ラインに供する。これにより印刷単位ブロック群を通し番号グループ毎に整列ラインに縦方向に並べた状態を形成し次工程へ縦送りする作業が限定されたスペースで適正に遂行される。
【先行技術文献】
【特許文献】
【０００５】
【特許文献１】米国特許第４２８３９０２号
【特許文献２】特許公告平７−１０２５１９号
【発明の概要】
【発明が解決しようとする課題】
【０００６】
上記特許文献２の構成は、小スペースで効率的且つ経済的に整列する点で優れた効果を奏しているが、この構成のうち下レールから整列搬送レールに落下させる過程に幾つかの難点が認められた。
その第１は、下レール群から同じ縦列の段数の印刷単位ブロックを落下させている限りは支障がないが、異なる段数の印刷単位ブロックを整列搬送レールに送る場合には下レールにおける搬送速度を変えなければならない問題があった。
【０００７】
すなわち、例えば大判シートが縦５列の面付構成のシートから縦１０列の面付構成のシートに変更する場合に、前者の場合は整列搬送レールで５束分の空きができた時点で次の５束分を供給すれば良いが、後者の場合には１０束分の空きができてから次を供給することになる。
次工程の制約から整列搬送レールにおける搬送速度は一定とする必要があるため、従来は下レール群上を搬送する搬送手段のクラッチやギアを交換する大掛かりな作業が要求された。
同時に、このようなチェンジギア方式では、列単位ブロック毎の各段数に応じて交換用ギアを常備しなければならず、そのための部品コストが大きくなる問題があった。
【０００８】
第２の問題は、従来の構成では支持手段として一方向にのみ片開きするシャッター構造を用いており、各印刷単位ブロックが一定の角度に開いたシャッター板の上に沿って滑り落ち、整列搬送レールに落下する動作となっていた点である。各印刷単位ブロックの落下速度はシャッター板の開き角度に依存して制限されるので稼働ロスの原因となる。
また、滑り落ちるようにしていることで整列搬送レール面上への落下位置が不規則となり、ブロックや紙が装置の隙間に挟まる不良の原因となっていた。
【０００９】
本発明は、以上のような問題点を解決するために創出されたものであり、その目的は印刷単位ブロック整列装置における整列作業の効率化と高精度化を実現することにある。
【課題を解決するための手段】
【００１０】
本発明は、上記課題を解決するために次のような印刷単位ブロック整列装置を提供する。
すなわち、縦列と横列との面付構成で多面印刷された大判シートから印刷単位ブロックに断裁し、整列した上で、面付構成に関わらず一定速度で次工程に送る印刷単位ブロック整列装置であって、該大判シートが積み重ねられた大判シートブロックを横列の列単位ブロックに切断する１次断裁手段と、この１次断裁手段で切断された列単位ブロックを印刷単位ブロックに切断する２次断裁手段とを備える。
【００１１】
そして、印刷単位ブロック群を縦送りする縦送り搬送手段により印刷単位ブロックを列単位ブロック毎にチャージする支持位置と解除位置に開閉する上レールと、この上レールの直下に上レールと直交して配置されこの上レールの解除位置への変動で落下する印刷単位ブロック群の単位ブロック個々を列単位ブロック毎に受け止め横送り搬送手段で横送りする下レール群を備える。
【００１２】
さらに、この下レール群から横送りし搬出された印刷単位ブロック群を列単位ブロック毎に受け止める支持位置と解除位置に開閉する支持手段と、この支持手段の解除位置への変動で落下する印刷単位ブロック群を受け止めて列単位ブロック毎に縦方向に並べ、整列搬送手段が一定速度で縦送りする整列搬送レールとを備える。
【００１３】
以上の構成において、該支持手段から整列搬送レールへの落下タイミングを電気的に制御する電気的制御手段を設け、該横送り搬送手段の搬送速度を面付構成に関わらず統一された速度にしながら、この電気的制御手段が、異なる面付構成における縦列の段数に応じて落下タイミングを制御することを特徴とする。
【００１４】
上記の横送り搬送手段の搬送速度が、装置の対応する面付構成のうち最小の縦列の段数の条件下において統一された搬送速度であることが好ましい。
【００１５】
上記の支持手段が、前記支持位置においては前記印刷単位ブロックの両側側面で支持すると共に、前記解除位置では同時に両側側面の支持を解除して前記整列搬送レールに落下させるようにすることもできる。
【００１６】
上記の電気的制御手段が、前記横送り搬送手段に備えたクラッチブレーキを制御することにより、前記横送り駆動に一定の停止期間を生じさせて落下タイミングを制御する構成でもよい。
【００１７】
本発明は、次のような印刷単位ブロック整列方法を提供することもできる。
すなわち、縦列と横列との面付構成で多面印刷された大判シートから印刷単位ブロックに断裁し、整列した上で、面付構成に関わらず一定速度で次工程に送る印刷単位ブロック整列方法であって、次の各工程を有する。
【００１８】
（Ｓ１）  該大判シートが積み重ねられた大判シートブロックを横列の列単位ブロックに切断する１次断裁工程、
（Ｓ２）  この列単位ブロックを印刷単位ブロックに切断する２次断裁工程、
（Ｓ３）  印刷単位ブロック群を縦送りする縦送りして印刷単位ブロックを列単位ブロック毎に上レールにチャージする縦送り工程、
（Ｓ４）  この上レールから印刷単位ブロックを解除して、上レールと直交する下レール群に落下させ、印刷単位ブロック群の単位ブロック個々を列単位ブロック毎に受け止め、横送りする横送り工程、
（Ｓ５）  この下レール群から横送りし搬出された印刷単位ブロック群を列単位ブロック毎に支持手段で受け止め、この支持手段を解除して整列搬送レールに印刷単位ブロック群を受け止めさせて、列単位ブロック毎に縦方向に並べて縦送りする整列搬送工程。
【００１９】
本発明は、上記の整列搬送工程において、支持手段から整列搬送レールへの落下タイミングを電気的に制御する電気的制御手段を設けて、この電気的制御手段が、該横送り搬送工程における搬送速度を面付構成に関わらず統一された速度にしながら、異なる面付構成における縦列の段数に応じて落下タイミングを制御することを特徴とする。
【００２０】
上記印刷単位ブロック整列方法において、横送り搬送工程における搬送速度が、装置の対応する面付構成のうち最小の縦列の段数の条件下において統一された搬送速度であることが好ましい。
【００２１】
上記の電気的制御手段が、前記横送り搬送手段に備えたクラッチブレーキを制御することにより、前記横送り駆動に一定の停止期間を生じさせて落下タイミングを制御することもできる。
【００２２】
上記の支持手段が、支持位置においては前記印刷単位ブロックの両側側面で支持すると共に、解除位置では同時に両側側面の支持を解除して前記整列搬送レールに落下させるようすることもできる。
【発明の効果】
【００２３】
本発明は、上記構成を備えることにより次のような効果を奏する。
下レールの横送り搬送速度を変更するためのチェンジギア機構を廃止することができるので、多様な面付構成の大判シートに簡便に対応することができる。これによって生産効率の向上を図ることができると同時に、部品点数を削減することができコストダウンにも寄与する。
【００２４】
整列搬送レールにおける搬送速度の最も速い条件、すなわち列単位ブロック毎の段数が最も少ない条件下で横送り搬送速度を統一することで段数の多い大判シートにも対応可能である。
【００２５】
下レール面上の列単位ブロックを整列搬送レールに落下させる支持手段である開閉シャッターを片開き構造から両開き構造に変更することにより、各印刷単位ブロックの落下速度を最大化でき稼働ロスを低減することができる。同時に、落下位置が安定し、ブロックや紙が装置の隙間に挟まる不良の原因を防ぐことができる。
【図面の簡単な説明】
【００２６】
【図１】本発明に係る印刷単位ブロック整列装置の手順を説明する斜視図。
【図２】同、平面図。
【図３】上記システムを形成する単位ブロック整列装置の正面図。
【図４】同単位ブロック整列装置の側面図。
【図５】同単位ブロック整列装置を形成する上レールから下レールへの印刷単位ブロックの落とし込みを説明する図であって、（ア）は上レールの閉状態を示す正面図、（イ）は上レールの開状態を示す正面図。
【図６】同単位ブロック整列装置を形成する下レール群と整列搬送レールを示す平面図。
【図７】支持手段の動作を説明する側面図であって、（ア）は支持手段の全体図、（イ）は支持状態を示す図、（ウ）は解除状態を示す図。
【図８】面付構成が６０面付の場合の整列方法を説明する図。
【図９】面付構成が２０面付の場合の整列方法を説明する図。
【図１０】電気的制御手段による制御のフローチャート。
【発明を実施するための形態】
【００２７】
以下、本発明の実施形態を、図面に示す実施例を基に説明する。なお、実施形態は下記に限定されるものではない。
図１、２は紙幣、宝くじ、葉書のような例えば１００枚単位のシートブロックを番号順に整列する単位ブロック整列装置を示す。尚、本発明において番号順とは第１順位から最終順位に積み重ねられる場合を意味し、具体的に数字等が記入されているものに限定されない。
【００２８】
図１、２に示す大判シート１には一例として縦列と横列にＮＯ．１からＮＯ．４０の多面印刷が施されており、縦列が８段、横列が５列の面付構成である。本明細書において面付構成の縦列・横列の数え方はこれに従う。
この大判シート１を１００枚重ねにして大判シートブロック１′を形成し、この大判シートブロック１′のＮＯ．１からＮＯ．４０の各印刷面を重ね方向へ通し番号に重ねる。例えば、ＮＯ．１には１から１００、ＮＯ．２には１０１から２００、ＮＯ．３には２０１から３００の通し番号が付されている。
【００２９】
上記大判シートブロック１′は先ず図外のトリミング工程で不要な耳落しを行なった後、列毎に最前列から順に最後列へと１次断裁手段を構成する断裁機２で切断され列単位ブロック３を形成する。
【００３０】
この切断された列単位ブロック３は例えばＡ列、Ｂ列、Ｃ列の３列並列し、このＡ、Ｂ、Ｃ列の列単位ブロック３は縦送りされ印刷単位毎に前端から順に２次断裁手段を構成する断裁機４で切断され印刷単位ブロック５を形成する。
【００３１】
この切断されたＡ、Ｂ、Ｃ列の印刷単位ブロック５は帯掛け手段６を用いてバンド７で結束し１００枚の通し番号順の多数の印刷単位ブロック５を形成する。この印刷単位ブロック５は上レール８に「縦送り」されて上記列単位ブロック３毎に同レール８にチャージされる。
【００３２】
ここで、本実施例では列単位ブロック３を３列としているが、本発明の実施においては任意の列数で縦送りすることができる。
【００３３】
上記上レール８は図３に示すようにＡ・Ｂ・Ｃ列毎に上記印刷単位ブロック５群を支持する支持位置と同支持を解除する位置とに開閉可能に設けられ、同解除時に印刷単位ブロック５群の落下を許容する平行に延設されたボトム定規８ｂと、印刷単位ブロック５の側面を規制するサイド定規８ｃを有し、各レール８の上部にこのレール８と平行に縦送り搬送手段である無端コンベア９を配置する。無端コンベア９は図４に示すようにプーリ９ａ、９ｂに無端走行可に装架されており、無端コンベア９は上記各印刷単位ブロック５の後端面を押圧して上レール８に所定の間隔を持って入れ込むための等間隔に配置された多数のプッシャー９ｃを有する'。
【００３４】
無端コンベア９は間欠走行することにより、図５（ア）に示すように搬送プッシャー９ｃが印刷単位ブロック５を１個ずつ上レール８のボトム定規８ｂ上に間欠的に入れ込み、列単位ブロック３に相当する数の印刷単位ブロック５群が各上レール８上にチャージされると、図５（イ）に示すように上レール８が開いて、即ちボトム定規８ｂが軸８ａを中心として下方へほぼ９０度回動し、列単位ブロック３毎の印刷単位ブロック５群を落下する。この落下はＡ、Ｂ列ほぼ同時に行われる。上レール８は例えばエアーシリンダー１９又はカム等によって開閉される。又上レール８は水平に進退させて支持位置と解除位置に開閉する場合を含む。
【００３５】
上記上レール８から落下した印刷単位ブロック５群は上レール８と直交する下レール１０に受け止められる。この下レール１０は、本実施例では説明を簡単にするために上記列単位ブロック３に相当する印刷単位ブロック５群の段数（８段）と同じａ〜ｈの８段が設けられているが、本発明においてこの段数は一致している必要はない。
【００３６】
各下レール１０は互いに平行に延設されたボトム定規１０ａと、印刷単位ブロック５の側面を規制するサイド定規１０ｂを有し、各下レール１０の下部に沿って、横送り搬送手段である無端コンベア１１を配置する。
このコンベア１１と上記コンベア９とは互いに直交し配置する。無端コンベア１１は図３に示すプーリ１１ａ、１１ｂ間に無端走行可に装架されており、この無端コンベア１１は間欠的に走行して上記Ａ、Ｂ、Ｃ列の上レール８から受け取った印刷単位ブロック５群を夫々下レール１０に沿って横方向へ所定の間隔を持って搬送する搬送プッシャー１１ｃを有する。即ちこの無端コンベア１１が間欠走行することにより、搬送プッシャー１１ｃが上記ａ〜ｈ段に存する印刷単位ブロック５群を上記Ａ、Ｂ、Ｃ列の配置関係を維持しつつ下レール１０のボトム定規１０ａに沿って間欠的に「横送り」し支持手段１５へと搬送する。
【００３７】
図７は支持手段１５を横方向から見た時の側面図である。本発明に係る支持手段（１５）は横送り搬送手段の延長線上に同数配設されている。すなわち（ａ）〜（ｈ）の各段の印刷単位ブロック５をそれぞれ開閉可能なシャッター部２０・２０で支持する構成である。
まず下レールから、搬送プッシャー１１ｃによって搬出されるａ〜ｈ段の印刷単位ブロック５群は上記Ａ、Ｂ、Ｃ列の配置関係を維持しつつ下レール１０の終端において支持手段１５へ押し出され、ａ〜ｈ段の下レール１０毎に設けた駄目押しプッシャー１２が図３上の仮想線で示した待機位置から実線で示した位置にせり出し、これにより下レール１０の終端から支持手段１５上に繰り出された単位ブロック５群を更に後押しして支持手段１５上の定位置に支持せしめる。この支持手段１５に押し出された単位ブロック５群は前当て１６に当接されてシャッター部２０内の定位置を保つ。
【００３８】
各単位ブロック５は、図７（イ）（ウ）に示すようにシャッター部２０のボトム定規２０ｂ上に位置した状態が指示位置である。その後、軸２０ａを中心として両側にシャッター部２０が開成したとき、図から明らかな通り印刷単位ブロック５の支持が解除され（解除位置）、印刷単位ブロック５群は一斉に落下する。
【００３９】
落下した印刷単位ブロック５群は、上記シャッター部２０の直下に配置された整列搬送レール１７（図３参照）に受け止められる。この整列搬送レール１７は印刷単位ブロック５群を支持するボトム定規１７ａと、印刷単位ブロック５の側面を規制するサイド定規１７ｂを有し、整列搬送レール１７に沿い整列搬送手段である無端コンベア１８を配置する。無端コンベア１８は支持手段１５から受け取った印刷単位ブロック５群を上記落下位置から夫々整列搬送レール１７に沿って縦方向へ搬送するプッシャー１８ａを有する。この無端コンベア１８が間欠走行することにより、無端コンベア１８のプッシャー１８ａが上記印刷単位ブロック５群を搬送レール１７のボトム定規１７ａに沿って番号順に整列し間欠的に次工程（集積工程）へと搬送する。
【００４０】
上記動作を繰り返すことにより、縦列と横列に多面印刷された大判シートブロック１′から切断された印刷単位ブロック５群を通し番号順に整列しつつ次工程（集積工程）へ搬送し、この集積工程において、例えば図１のＮＯ．１の印刷単位ブロック５にＮＯ．２の印刷単位ブロックを積み重ね、更にＮＯ．２のブロックにＮＯ．３のブロックを積み重ね、同様にしてＮＯ．１からＮＯ．１０の１０ブロックの集積ブロックを次々と形成する。
【００４１】
本発明における印刷単位ブロック整列装置の動作は以上の通りであるが、従来の問題として大判シートブロック１における面付構成に制約があった。
すなわち、上記実施例の大判シートブロックは縦８段横５列の４０面付であったが、これを異なる面付の大判シートブロックを用いる場合には、横送り搬送手段の速度を変化させるためにチェンジギア機構を交換する必要があった。
【００４２】
図８は本実施例で最大の面付構成としている６０面付（３０）の大判シートブロックを用いる例、図９は最小の面付構成としている２０面付（３１）の例である。
６０面付では、縦１０段横６列、２０面付では、縦５段横４列である。なお、ここで用いる印刷単位ブロック整列装置は上記と異なり１０段の横送り搬送手段を備えている。
【００４３】
６０面付の大判シートの右端から３段を１次断裁工程、２次断裁工程を経て下レール群に落下させる。この時、横送り搬送手段の無端コンベア１１から整列搬送手段の無端コンベア１８に搬出するには、無端コンベア１８に１０束分（３２）を落下させた後に、次に１０束分空くまでの間に、無端コンベア１１の１列分の速度が一致する必要がある。
【００４４】
一方、２０面付の大判シートの場合、下レール群のうち５段分のみを用い、無端コンベア１１から無端コンベア１８に５束分（３３）を落下させる。
本構成では、６０面付の場合と異なり無端コンベア１８で５束分が空くまでの間に、無端コンベア１１の１列分の速度が一致する必要がある。
【００４５】
このように、縦列の段数が異なる場合には、無端コンベア１１の速度を変えなければ整列搬送手段にうまく搬出を行うことができない。
そこで、本発明では支持手段１５から整列搬送レール１７への落下タイミングを電気的に制御する電気的制御手段（図示しない）を設け、無端コンベア１１の搬送速度を面付構成に関わらず統一された速度にしながら、この電気的制御手段が、異なる面付構成における縦列の段数に応じて落下タイミングを制御することができるようにした。
【００４６】
図１０は電気的制御手段による制御のフローチャートを示している。まず無端コンベア１１が駆動（Ｓ１０）され、支持手段１５のシャッター部２０を解除位置にする（Ｓ１１）ことで最初の整列搬送レール１７への落下が行われる。
そこで電気的制御手段は無端コンベア１１に備えられたクラッチブレーキを制御することで一時的に無端コンベア１１を停止（Ｓ１２）させ、整列搬送レール１７で上記次の束を落下させる空きができるまで待機するようにする。
【００４７】
この一時停止時間は、段数によって予め定義した時間分だけ停止すれば良いが、整列搬送レール１７にセンサ手段を設けて、センサによる空きが感知されるまで停止する構成でもよい。
所望の段数分の空きができたタイミング（Ｓ１３）で、再び無端コンベア１１を駆動（Ｓ１４）し、シャッター部２０の解除動作（Ｓ１５）も行う。
この繰り返しを全ての印刷単位ブロックを整列するまで（Ｓ１６）繰り返し行う。
【００４８】
以上の制御によれば、無端コンベア１１の速度は一定で、その駆動、停止を制御するだけで異なる段数の面付構成にも自在に対応することができるようになる。
無端コンベア１１の速度は、装置の対応する面付構成のうち最小の縦列の段数の条件下において統一された搬送速度にすることが好ましい。上記の例で言えば、５段の場合に無端コンベア１１の速度は最も速いことが要求されるので、これに合わせることで、１０段の場合には停止動作を行うことで整列搬送手段に連続的に搬出が行える。
【００４９】
縦列の段数については、言うまでもなく上記の数に限定されるものではなく、６段、７段、８段、９段など任意の段数に適用することができる。
また、本実施例では無端コンベア１１のクラッチブレーキを制御する方法を挙げたが、本発明では支持手段から整列搬送レールへの落下タイミングを制御するいかなる方法でもよい。例えば、無端コンベアの駆動モーターを直接制御する方法、支持手段１５のシャッター部２０の開閉タイミングを直接制御する方法などでもよい。
【符号の説明】
【００５０】
１  大判シート
１′  大判シートブロック
２  １次断裁手段を構成する断裁装置
３  列単位ブロック
４  ２次断裁手段を構成する断裁装置
８  上レール
１０  下レール
１５  支持手段を構成するブロック受け台
１７  整列搬送レール
【図１】
2014024638.tif 000003
【図２】
2014024638.tif 000004
【図３】
2014024638.tif 000005
【図４】
2014024638.tif 000006
【図５】
2014024638.tif 000007
【図６】
2014024638.tif 000008
【図７】
2014024638.tif 000009
【図８】
2014024638.tif 000010
【図９】
2014024638.tif 000011
【図１０】
2014024638.tif 000012